(57)【特許請求の範囲】
【請求項１】
銃身部，該銃身部の後方側部分に設けられた装弾室及びトリガー部が設けられたフレーム部と、
該フレーム部に対して上記銃身部に沿う方向に移動可能とされて配されたスライダ部と、
該スライダ部における上記銃身部の後方となる部分内に設けられて上記スライダ部と一体的に移動する受圧部と、
潰れると塗料を放出する塗料内蔵弾が収容される弾丸収容部及び該弾丸収容部から送り出された塗料内蔵弾を係止する一対の係合片部が設けられ、上記フレーム部に装着されたとき、上記一対の係合片部を上記装弾室の後方に近接配置させ、該一対の係合片部により係止された塗料内蔵弾の中心を、略上記銃身部に沿う方向に伸びる上記装弾室の中心軸線上に位置させることになる状態をとる弾倉部と、
第１のガス通路形成部，第２のガス通路形成部及び上記第１のガス通路形成部と上記第２のガス通路形成部との間の中間部を有し、上記弾倉部が上記フレーム部に装着されたもとで上記スライダ部が基準位置をとるとき、上記第１のガス通路形成部を上記一対の係合片部の間を貫通して先端部分が上記装弾室に係合するものとなす位置に置かれ、該位置からの上記銃身部に沿う方向の後退を上記スライダ部の上記基準位置からの後退に伴って行う可動部材と、
上記トリガー部の操作に応じて、上記可動部材における中間部内にガスを供給するガス供給状態をとるガス供給制御手段と、
上記弾倉部が上記フレーム部に装着されたもとで上記ガス供給制御手段が上記ガス供給状態をとる期間において、上記可動部材における中間部内に供給されるガスを、上記第１のガス通路形成部内を通じて上記装弾室に導く状態と、上記第２のガス通路形成部内を通じて上記受圧部に作用させ、上記スライダ部を上記基準位置から後退させる状態とをとるガス制御部と、
を備え、
上記弾倉部における一対の係合片部が、該一対の係合片部により係止される塗料内蔵弾の直径寸法より小とされる相互間距離をおいて相対向する先端部分を有し、上記可動部材における第１のガス通路形成部が、上記弾倉部が上記フレーム部に対して装着されるとき、相対的に上記弾倉部における一対の係合片部の夫々の上記先端部分間を通り抜けられる寸法を部分的に有したものとされることを特徴とする玩具銃。
【請求項２】
上記可動部材における第１のガス通路形成部の先端部分が、上記一対の係合片部により係止される塗料内蔵弾が有する外面に沿った曲面をもって上記塗料内蔵弾に当接するものとされることを特徴とする請求項１記載の玩具銃。
【請求項３】
上記弾倉部と上記ガス供給制御手段とが、共通のケース部内に設けられ、該ケース部の上記フレームへの装着により、上記弾倉部が上記フレーム部に装着されることを特徴とする請求項１記載の玩具銃。
【請求項４】
上記ガス供給制御手段が、外部からのガスが導入されるガス室もしくは充填されたガスを貯留する蓄圧室と、上記トリガー部の操作に応じて、上記ガス室もしくは上記蓄圧室と上記可動部材内における中間部内とを遮断する閉状態と上記ガス室もしくは上記蓄圧室と上記可動部材内における中間部内とを連通させる開状態とをとる開閉弁部と、を備えて構成されることを特徴とする請求項３記載の玩具銃。
【請求項５】
銃身部，該銃身部の後方側部分に設けられた装弾室及びトリガー部が設けられたフレーム部と、
該フレーム部に対して上記銃身部に沿う方向に移動可能とされて配されたスライダ部と、
該スライダ部における上記銃身部の後方となる部分内に設けられて上記スライダ部と一体的に移動する受圧部と、
潰れると塗料を放出する塗料内蔵弾が収容される弾丸収容部及び該弾丸収容部から送り出された塗料内蔵弾を係止する一対の係合片部が設けられ、上記フレーム部に装着されたとき、上記一対の係合片部を上記装弾室の後方に近接配置させ、該一対の係合片部により係止された塗料内蔵弾の中心を、略上記銃身部に沿う方向に伸びる上記装弾室の中心軸線上に位置させることになる状態をとる弾倉部と、
第１のガス通路形成部，第２のガス通路形成部及び上記第１のガス通路形成部と上記第２のガス通路形成部との間の中間部を有し、上記弾倉部が上記フレーム部に装着されたもとで上記スライダ部が基準位置をとるとき、上記第１のガス通路形成部を上記一対の係合片部の間を貫通して先端部分が上記装弾室に係合するものとなす位置に置かれ、該位置からの上記銃身部に沿う方向の後退を上記スライダ部の上記基準位置からの後退に伴って行う可動部材と、
上記トリガー部の操作に応じて、上記可動部材における中間部内にガスを供給するガス供給状態をとるガス供給制御手段と、
上記弾倉部が上記フレーム部に装着されたもとで上記ガス供給制御手段が上記ガス供給状態をとる期間において、上記可動部材における中間部内に供給されるガスを、上記第１のガス通路形成部内を通じて上記装弾室に導く状態と、上記第２のガス通路形成部内を通じて上記受圧部に作用させ、上記スライダ部を上記基準位置から後退させる状態とをとるガス制御部と、
を備え、
上記弾倉部における一対の係合片部が、該一対の係合片部により係止される塗料内蔵弾の直径寸法より小とされる相互間距離をおいて相対向する先端部分を有し、該相対向する先端部分の相互間距離を変化させる変位が可能とされる弾性を具えたものとされ、該弾性が利用されて上記弾倉部の上記フレーム部への装着もしくは上記フレーム部からの離脱が行われることを特徴とする玩具銃。
【請求項６】
上記可動部材における第１のガス通路形成部の先端部分が、上記一対の係合片部により係止される塗料内蔵弾が有する外面に沿った曲面をもって上記塗料内蔵弾に当接するものとされることを特徴とする請求項５記載の玩具銃。
【請求項７】
上記弾倉部と上記ガス供給制御手段とが、共通のケース部内に設けられ、該ケース部の上記フレームへの装着により、上記弾倉部が上記フレーム部に装着されることを特徴とする請求項５記載の玩具銃。
【請求項８】
上記ガス供給制御手段が、外部からのガスが導入されるガス室もしくは充填されたガスを貯留する蓄圧室と、上記トリガー部の操作に応じて、上記ガス室もしくは上記蓄圧室と上記可動部材内における中間部内とを遮断する閉状態と上記ガス室もしくは上記蓄圧室と上記可動部材内における中間部内とを連通させる開状態とをとる開閉弁部と、を備えて構成されることを特徴とする請求項７記載の玩具銃。
【発明の詳細な説明】
【０００１】
【発明の属する技術分野】
本願の特許請求の範囲に記載された発明は、装弾室に装填された弾丸の発射及び装弾室への弾丸の供給がガス圧が利用されて行われ、装弾室に供給されて発射される弾丸が、潰れると塗料を放出する塗料内蔵弾とされる玩具銃に関する。
【０００２】
【従来の技術】
遊戯銃（エアソフトガン）と称される玩具銃にあっては、通常、形状，質感に加えて、見かけ上の動作も実物と同様なものとなるように作成される。斯かる玩具銃のうち、トリガーの操作に応じて、弾丸が発射されるとともに、銃身に沿って配されたスライダが移動するようになされた銃を模したものにおいて、銃身の後方側部分に設けられた装弾室に装填された弾丸の発射をガス圧により行うことに加えて、装弾室に対する弾丸の供給もガス圧を利用して行うようにされたものが知られている。
【０００３】
このような玩具銃にあっては、一般に、例えば、グリップ内に複数の弾丸を収容できる弾倉とガスを貯留する蓄圧室とが設けられ、装弾室に装填された弾丸が、グリップ内に設けられた蓄圧室からのガス圧が利用されて発射されると、その都度、蓄圧室からのガス圧がさらに利用されて、スライダの銃身に沿う方向の後退及びそれに続く前進が行われ、それによりグリップに設けられた弾倉に収容された弾丸が空になった装弾室に供給されて、自動連射が可能とされる。斯かるガス圧が利用されて装弾室に装填された弾丸の発射と装弾室に対する弾丸の供給とが行われるようにされた玩具銃において用いられる弾丸は、通常、例えば、６mm程度とされる比較的小なる直径を有したプラスチック製の模擬弾とされ、ＢＢ弾と通称される。
【０００４】
このような直径が６mm程度とされるＢＢ弾が用いられる玩具銃とは別に、例えば、１７mm程度と、１０mmを越える比較的大なる直径を有するとともに、容易に潰れて塗料を放出する、ペイント弾と通称される塗料内蔵弾（以下、ペイント弾という）が用いられる玩具銃も知られている。このようなペイント弾が用いられる玩具銃の一つである、例えば、月刊誌『Ｇｕｎ』１９９２年１０月号（国際出版株式会社発行）の６６〜７５頁に記載されているペイントガンにおいては、ＣＯ2 ガス・タンクがバレル（銃身）の下方に配されるとともに、複数のペイント弾を収容できるローダーと称されるマガジン（弾倉）が、ペイント弾の直径より若干大なる通路径を有したフィーディング・ポートを介して、銃身の後部にそれより上方側に突出する状態をもって取り付られる。そして、バレルの後部に配されたペイント弾が、ＣＯ2 ガス・タンクからのガス圧が利用されて発射されると、フィーディング・ポートとバルレの後部との間を遮断していた部材が、ＣＯ2 ガス・タンクからのガス圧によりバレルに沿って移動せしめられることにより、フィーディング・ポートとバレルの後部とが連通状態にされ、ローダーに収容されたペイント弾のうちの一つが、フィーティング・ポートを通じてバレルの後部へと自重により落下する状態とされる。それにより、バレルの後部からペイント弾が発射される毎に、空となったバレルの後部に新たなペイント弾が自動供給されることになる。
【０００５】
斯かるペイントガンにあっては、実質的に装弾室とされるバレルの後部に供給される複数のペイント弾を収容するローダーは、多数のペイント弾を収納して、それらを順次継続的にバレルの後部に供給することができるように比較的大なる容積を有するものとされる。さらに、ローダーは、フィーディング・ポートに連結された底部が、収容されたペイント弾の夫々をその自重によってフィーディング・ポートに向かわせるべく湾曲形状をとるものとされ、各ペイント弾を、潰れを生じさせることなく、フィーディング・ポートを通じてバレルの後部へと落下させるものとされる。
【０００６】
【発明が解決しようとする課題】
上述の如くの、実質的に装弾室とされるバレルの後部に装填されたペイント弾の発射と、ペイント弾がローダーからフィーディング・ポートを通じて落下することにより行われるペイント弾のバレルの後部への供給とが、ガス圧が利用されて行われるようにされたペイントガンにあっては、ペイント弾を収容するローダーが、比較的大なる容積を有して、銃身の後部にそれより上方側に突出する状態をもって取り付られる構成とされることにより、通常の実銃の形状とは著しく相違する形状を有したものとされてしまい、実銃に対する類似性に欠けるという問題がある。また、比較的大なる容積を有したローダーがバレルの後部にそれより上方側に突出する状態をもって取り付られることは、ペイントガンを極めて操作し難いものとすることになってしまう。
【０００７】
このような不都合を回避すべく、ペイント弾を用いる玩具銃についても、ペイント弾が収容される弾倉を玩具銃における、例えば、グリップ内等の、銃身より下方側に設けられたものとなすことが考えられる。しかしながら、ペイント弾を収容した弾倉をグリップ内等の銃身より下方側に配する場合には、弾倉に収容されたペイント弾の一つを、ガス圧の作用により銃身に沿う方向の後退及びそれに続く前進を行うスライダを利用して運び、銃身の後方側部分に設けられた装弾室に供給することになるが、ペイント弾は機械的衝撃に対して強靱でなく、比較的潰れ易い特性を有しているので、装弾室に運ばれるペイント弾が機械的衝撃を受けて潰されてしまうという事態をまねくことなく、ペイント弾を装弾室に供給することに困難が伴い、従前にあっては、この問題が克服されていない。それゆえ、従来にあっては、装弾室に装填されたペイント弾の発射と装弾室に対するペイント弾の供給とがガス圧が利用されて行われるようにされたもとで、ペイント弾を収容する弾倉がグリップ内等の銃身より下方側に配され、その弾倉に収容されたペイント弾を、潰されてしまう事態をまねくことなく、装弾室に供給できるようにされた玩具銃は見当たらない。
【０００８】
斯かる点に鑑み、本願の特許請求の範囲に記載された発明は、銃身部の後方側部分に設けられた装弾室に装填された弾丸の発射と、その装弾室に対する弾丸の供給とが、ガス圧が利用されて行われるようにされるとともに、弾倉部を銃身部より下方側に配されるものとなすことができ、弾倉部に収容される弾丸が直径が比較的大とされて潰れ易いペイント弾とされるもとにおいて、弾倉部に収容されたペイント弾の装弾室への供給を、当該ペイント弾が潰れてしまう事態をまねくことなく確実に行うことができるようにされた玩具銃を提供する。
【０００９】
【課題を解決するための手段】
本願の特許請求の範囲における請求項１から請求項４までのいずれかに記載された発明に係る玩具銃は、銃身部，その後方側部分に設けられた装弾室及びトリガー部が設けられたフレーム部と、フレーム部に対して銃身部に沿う方向に移動可能とされて配されたスライダ部と、スライダ部における銃身部の後方となる部分内に設けられてスライダ部と一体的に移動する受圧部と、潰れると塗料を放出するペイント弾が収容される弾丸収容部及びそれから送り出されたペイント弾を係止する一対の係合片部が設けられ、フレーム部に装着されたとき、一対の係合片部を装弾室の後方に近接配置させ、一対の係合片部により係止されたペイント弾の中心を、略銃身部に沿う方向に伸びる装弾室の中心軸線上に位置させることになる状態をとる弾倉部と、第１のガス通路形成部，第２のガス通路形成部及び第１のガス通路形成部と第２のガス通路形成部との間の中間部を有し、弾倉部がフレーム部に装着されたもとでスライダ部が基準位置をとるとき、第１のガス通路形成部を一対の係合片部の間を貫通して先端部分が装弾室に係合するものとなす位置に置かれ、その位置からの銃身部に沿う方向の後退をスライダ部の基準位置からの後退に伴って行う可動部材と、トリガー部の操作に応じて、可動部材における中間部内にガスを供給するガス供給状態をとるガス供給制御手段と、弾倉部がフレーム部に装着されたもとでガス供給制御手段がガス供給状態をとる期間において、可動部材における中間部内に供給されるガスを、第１のガス通路形成部内を通じて装弾室に導く状態と、第２のガス通路形成部内を通じて受圧部に作用させ、スライダ部を基準位置から後退させる状態とをとるガス制御部とを備え、弾倉部における一対の係合片部が、それらにより係止されるペイント弾の直径寸法より小とされる相互間距離をおいて相対向する先端部分を有し、可動部材における第１のガス通路形成部が、弾倉部がフレーム部に対して装着されるとき、相対的に弾倉部における一対の係合片部の夫々の先端部分間を通り抜けられる寸法を部分的に有したものとされて、構成される。
また、本願の特許請求の範囲における請求項５から請求項８までのいずれかに記載された発明に係る玩具銃は、銃身部，その後方側部分に設けられた装弾室及びトリガー部が設けられたフレーム部と、フレーム部に対して銃身部に沿う方向に移動可能とされて配されたスライダ部と、スライダ部における銃身部の後方となる部分内に設けられてスライダ部と一体的に移動する受圧部と、潰れると塗料を放出するペイント弾が収容される弾丸収容部及びそれから送り出されたペイント弾を係止する一対の係合片部が設けられ、フレーム部に装着されたとき、一対の係合片部を装弾室の後方に近接配置させ、一対の係合片部により係止されたペイント弾の中心を、略銃身部に沿う方向に伸びる装弾室の中心軸線上に位置させることになる状態をとる弾倉部と、第１のガス通路形成部，第２のガス通路形成部及び第１のガス通路形成部と第２のガス通路形成部との間の中間部を有し、弾倉部がフレーム部に装着されたもとでスライダ部が基準位置をとるとき、第１のガス通路形成部を一対の係合片部の間を貫通して先端部分が装弾室に係合するものとなす位置に置かれ、その位置からの銃身部に沿う方向の後退をスライダ部の基準位置からの後退に伴って行う可動部材と、トリガー部の操作に応じて、可動部材における中間部内にガスを供給するガス供給状態をとるガス供給制御手段と、弾倉部がフレーム部に装着されたもとでガス供給制御手段がガス供給状態をとる期間において、可動部材における中間部内に供給されるガスを、第１のガス通路形成部内を通じて装弾室に導く状態と、第２のガス通路形成部内を通じて受圧部に作用させ、スライダ部を基準位置から後退させる状態とをとるガス制御部とを備え、弾倉部における一対の係合片部が、それらにより係止されるペイント弾の直径寸法より小とされる相互間距離をおいて相対向する先端部分を有し、相対向する先端部分の相互間距離を変化させる変位が可能とされる弾性を具えたものとされ、その弾性が利用されて弾倉部のフレーム部への装着もしくはフレーム部からの離脱が行われることを特徴とするものとされる。
【００１０】
特に、本願の特許請求の範囲における請求項２または６に記載された発明に係る玩具銃は、可動部材における第１のガス通路形成部の先端部分が、一対の係合片部により係止されるペイント弾が有する外面に沿った曲面をもってペイント弾に当接するものとされる。
【００１１】
上述の如くに構成される本願の特許請求の範囲における請求項１から請求項８までのいずれかに記載された発明に係る玩具銃にあっては、弾倉部がフレーム部に装着され、それにより弾倉部が銃身部より下方側に配された状態をとることができるものとされる。斯かる弾倉部のフレーム部に対する装着は、可動部材における第１のガス通路形成部が、弾倉部がフレーム部に対して装着されるとき、相対的に弾倉部における一対の係合片部の夫々の先端部分間を通り抜けられる寸法を部分的に有したものとされることにより、あるいは、弾倉部における一対の係合片部が、相対向する先端部分の相互間距離を変化させる変位が可能とされる弾性を具えたものとされることにより、可動部材がその第１のガス通路形成部の先端部分を装弾室に係合させる位置をとるもとにあっても、一対の係合片部の間に可動部材における第１のガス通路形成部を割り込ませる状態をもって、容易に行われる。そして、弾倉部がフレーム部に装着されたもとでは、一対の係合片部が装弾室の後方に近接配置され、それら一対の係合片部により係止されるペイント弾の中心と銃身部に沿う方向に伸びる装弾室の中心軸線とが略一致せしめられ、ペイント弾の中心が略装弾室の中心軸線上に位置する状態に置かれる。
【００１２】
弾倉部がフレーム部に装着されたもとで、スライダ部が基準位置から銃身部に沿う方向に後退せしめられるとき、それに伴って、可動部材が、銃身部に沿う方向に伸びる装弾室の中心軸線に沿って後退する。スライダ部は、後退後、基準位置に戻る前進に転じ、それに伴って可動部材も装弾室の中心軸線に沿って前進する。そして、可動部材の前進により、可動部材における第１のガス通路形成部が、先端部分を一対の係合片部により係止されたペイント弾に当接させてその一対の係合片部の間を貫通し、先端部分を装弾室に係合させる状態をとり、それによって装弾室にペイント弾が供給される。
【００１３】
斯かる際、一対の係合片部により係止されたペイント弾の中心が略装弾室の中心軸線上に位置する状態に置かれているとともに、可動部材の前進が装弾室の中心軸線に沿って行われることにより、可動部材における第１のガス通路形成部の先端部分による、一対の係合片部により係止されたペイント弾の装弾室への搬送が、当該ペイント弾が受ける機械的衝撃が比較的小とされる状態をもって行われる。その結果、弾倉部における弾丸収容部から送り出されて一対の係合片部により係止されるペイント弾が、機械的衝撃により潰されてしまう事態がまねかれることなく、装弾室に供給されることになる。
【００１４】
特に、本願の特許請求の範囲における請求項２または６に記載された発明に係る玩具銃の場合には、可動部材における第１のガス通路形成部の先端部分が、一対の係合片部により係止されるペイント弾が有する外面に沿った曲面をもってペイント弾に当接するものとされるので、一対の係合片部により係止されたペイント弾が、可動部材における第１のガス通路形成部の先端部分によって、安定に保持されたもとで装弾室へと搬送されることになる。その結果、当該ペイント弾が装弾室へと搬送される際に受ける機械的衝撃が一段と小なるものとされ、装弾室へと搬送されるペイント弾が潰されてしまう事態の回避がより確実なものとされる。
【００１５】
【発明の実施の形態】
図１及び図２は、本願の特許請求の範囲における請求項１から請求項４までのいずれかに記載された発明に係る玩具銃の一例を示す。
【００１６】
図１及び図２に示される例においては、銃身部２，銃身部２の後方側部分に設けられた装弾室４ａ，グリップ部６及びトリガー部７が設けられたフレーム部１０が備えられている。装弾室４ａは、ゴム材等の弾性摩擦材で成る環状部材４によって形成されており、環状部材４は、銃身部２の後方側部分の内側に配されている。そして、フレーム部１０には、それに対して銃身部２に沿う方向に移動可能とされたスライダ部１５、及び、スライダ部１５の移動に伴う移動が可能とされた可動部材１７が配されている。フレーム部１０に設けられたグリップ部６は、その内部にケース部１８が着脱可能に係合するものとされている。ケース部１８は、図１に示される如くに、フレーム部１０とは別体のものであり、グリップ部６内において、フレーム部１０への装着及びフレーム部１０からの離脱が行われることになる。また、トリガー部７は、図２に示される如くの基準位置からの回動が可能とされる。さらに、フレーム部１０には、上方側部分２１ａと下方側部分２１ｂとを有したハンマー２１が取り付けられている。
【００１７】
グリップ部６には、トリガー部７から後方に向けて屈曲して伸びる可動バー２２が配されており、トリガー部７は、可動バー２２におけるグリップ部６から突出した前方側部分に設けられた軸２３とトグルスプリング（図示省略）が巻装された軸２５とを介して、フレーム部１０により支持されている。トリガー部７は、それが引かれる操作により、軸２５を支点として回動せしめられる。可動バー２２の後方側には、グリップ部６に軸２７を介して取り付けられた回動レバー２８が配されている。可動バー２２は、トリガー部７の動作に応じて前後動せしめられるとともに、スライダ部１５の移動により、軸２３を支点として回動せしめられて回動レバー２８を回動させるものとされている。
【００１８】
スライダ部１５は、銃身部２の外側に配されていて、フレーム部１０における銃身部２が設けられた部分に嵌合しており、その前方側部分を成す第１の部分１５ａと、第１の部分１５ａと一体的に形成されて銃身部２の後方に位置せしめられた後方側部分を成す第２の部分１５ｂとを有している。そして、スライダ部１５は、トリガー部７がそれを引く操作が行われていないもとでは、通常、第１の部分１５ａにおける前端部をフレーム部１０の前端部に近接させる、図２に示される如くの基準位置に置かれる。
【００１９】
スライダ部１５における第１の部分１５ａは、フレーム部１０におけるトリガー部７の前方側に配されて銃身部２に沿って伸びるガイド部材３１にも嵌合せしめられており、ガイド部材３１には、コイルスプリング３２が嵌装されている。コイルスプリング３２は、ガイド部材３１に沿って伸びてスライダ部１５の第１の部分１５ａに係合し、スライダ部１５の全体をフレーム部１０の前方側に向けて付勢している。
【００２０】
スライダ部１５における第２の部分１５ｂには、有底筒状部１６が設けられている。この有底筒状部１６の底部は、受圧部１６ａを形成している。
【００２１】
スライダ部１５の基準位置からの移動は、銃身部２のその中心軸線に沿う移動を伴って行われる。銃身部２は、その後端部がフレーム部１０に設けられた当接部３６から所定の距離離隔する、図２に示される如くの基準位置と、その後端部が当接部３６に当接する最後退位置との間を移動するものとされている。そして、スライダ部１５のその基準位置からの後退が開始された直後において、銃身部２はその基準位置から最後退位置まで後退し、また、後退したスライダ部１５が前進に転じて、その基準位置に戻る直前において、銃身部２はその最後退位置から基準位置への前進を開始し、スライダ部１５が基準位置をとると略同時に、銃身部２も基準位置をとる。
【００２２】
スライダ部１５の内側には、スライダ部１５の移動方向に沿う方向、即ち、銃身部２に沿う方向に移動可能とされた可動部材１７が配されている。可動部材１７は、内部にガス通路部３７を形成する第１のガス通路形成部と、内部にガス通路部３８を形成する第２のガス通路形成部と、第１のガス通路形成部と第２のガス通路形成部との間の中間部とを有しており、中間部内には、ガス通路部３７とガス通路部３８とを連結する連結部３９が形成されている。ガス通路部３７は、連結部３９から装弾室４ａに向けて伸び、装弾室４ａに対して開口するものとされ、また、ガス通路部３８は、連結部３９から受圧部１６ａに向けて伸び、受圧部１６ａに対して開口するものとされている。
【００２３】
可動部材１７は、少なくとも銃身部２に沿う方向に伸びる第１のガス通路形成部の中心軸線が、銃身部２に沿う方向に伸びる装弾室４ａの中心軸線に略合致する位置に配される。そして、可動部材１７は、それとスライダ部１５との間に配されたコイルスプリング４１の付勢力によって、有底筒状部１６の底部が形成する受圧部１６ａ側に向けて付勢されており、スライダ部１５が基準位置におかれたもとで、ガス通路部３７を形成する第１のガス通路形成部の先端部分を装弾室４ａに係合させる弾丸発射用位置をとるときには、ガス通路部３８を形成する第２のガス通路形成部が有底筒状部１６内に挿入され、ガス通路部３８における受圧部１６ａに対向する開口端が受圧部１６ａにより閉塞される。
【００２４】
さらに、可動部材１７における第２のガス通路形成部には、弾性部材により形成された環状シール部材４２が装着されている。環状シール部材４２は、可動部材１７における第２のガス通路形成部が有底筒状部１６内に挿入されて、有底筒状部１６と相互係合状態にあるとき、有底筒状部１６の筒状内壁面に当接して、その筒状内壁面と可動部材１７における第２のガス通路形成部の外周面との間を密封する。
【００２５】
可動部材１７の内部には、ガス通路部３７及び３８におけるガスの状態を制御するガス制御部４５が配されている。ガス制御部４５は、連結部３９からガス通路部３７内に伸びる整流板部分４６と、整流板部分４６の後端側に設けられた弁部分４７とを有している。整流板部分４６は、ガス通路部３７を通じるガスを整流する複数の整流板が相互連結するものとされて構成されている。また、弁部分４７は、ガス通路部３７を閉塞する状態とガス通路部３８を閉塞する状態とを選択的にとることができるものとされており、その後方側においてコイルスプリング４９に係合している。コイルスプリング４９は、ガス制御部４５に、その全体を装弾室４ａに向かわせる方向の付勢力を作用させている。弁部分４７は、ガス制御部４５の全体の移動に伴ってガス通路部３７とガス通路部３８との間を移動し、ガス通路部３７とガス通路部３８とを開閉制御する。
【００２６】
ハンマー２１は、その下方側部分２１ｂが軸５１を介してフレーム部１０における後端部分に取り付けられており、フレーム部１０に対して軸５１を回動中心とした回動が可能とされている。ハンマー２１における下方側部分２１ｂには、回動レバー２８が選択的に係合せしめられる複数の係合段部が設けられている。回動レバー２８は、軸２７に巻装されたトグルスプリング（図示省略）によりハンマー２１に近接する方向に付勢されている。また、ハンマー２１における上方側部分２１ａは、ハンマー２１の近傍に配された可動ピン５５を選択的に殴打するものとされている。
【００２７】
ハンマー２１の下方側部分２１ｂには、グリップ部６の下方側部分内に配されたコイルスプリング５６にキャップ５７を介して係合する一端部を有したハンマーストラット５８の他端部が、ピンを介して取り付けられている。それにより、ハンマー２１は、コイルスプリング５６による付勢力をキャップ５７及びハンマーストラット５８を通じて受けて、図２において矢印ａにより示される如くの、上方側部分２１ａをスライダ部１５の後端部に向かわせる方向（ａ方向）に付勢されている。
【００２８】
ケース部１８内には、ガス室６１，ガス室６１から上方に伸びるガス導出通路部６２、及び、弾倉部６５が設けられている。さらに、ケース部１８内には、ガス導出通路部６２をガス室６１から遮断する閉状態とガス導出通路部６２をガス室６１に連通させる開状態とを選択的にとる開閉弁部６９、及び、開閉弁部６９に選択的に係合するロック部材７１も設けられている。
【００２９】
ガス室６１には、ガス供給通路部６１ａが連通しており、ガス供給通路部６１ａには、例えば、ガスボンベとされる外部ガス供給源から伸びるパイプ７２が連結される。ガス供給通路部６１ａは、外部ガス供給源からパイプ７２を通じて供給されるガスをガス室６１に導入する。
【００３０】
開閉弁部６９は、ガス導出通路部６２に配された弁形成部分６９ａと、ガス導出通路部６２から外部に向けて伸びるピストン部分６９ｂとを有していて、ケース部１８内において移動可能に配されている。開閉弁部６９には、弁形成部分６９ａを介してコイルスプリング７４の付勢力が作用しており、開閉弁部６９は、コイルスプリング７４の付勢力によって、図２に示される如く、ガス導出通路部６２を弁形成部分６９ａにより閉塞してガス室６１から遮断する閉状態を維持しようとする状態におかれている。
【００３１】
ロック部材７１は、開閉弁部６９におけるピストン部分６９ｂの後方側に移動可能に配されている。そして、ロック部材７１は、それに配されたコイルスプリング７５により、ピストン部分６９ｂに向かう方向に付勢されている。また、ロック部材７１には、図示が省略されているが、スライダ部１５により選択的に押圧される昇降部材が連結されている。
【００３２】
上述のガス室６１，ガス導出通路部６２，開閉弁部６９，コイルスプリング７４，ロック部材７１及びコイルスプリング７５等は、ガス供給制御手段を構成している。
【００３３】
弾倉部６５は、それに設けられた弾丸収容部７７に、例えば、略１１mmとされる比較的大なる直径を有するとともに潰れると塗料を放出するペイント弾Ｐを複数個収容できるものとされている。また、弾倉部６５には、図１に示される如く、弾丸収容部７７の開口部分に連なって立設され、ケース部１８から外部に突出する一対の係合片部７８（一方の係合片部は図にあらわれない）が対向配置されている。
【００３４】
弾倉部６５における弾丸収容部７７内には、コイルスプリング７９と押圧部材８１とが配されている。コイルスプリング７９は、押圧部材８１を通じて、弾丸収容部７７に収容されたペイント弾Ｐに対し、一対の係合片部７８に向かわせる方向の付勢力を作用させる。そして、コイルスプリング７９により一対の係合片部７８に向けて付勢され、それにより、弾丸収容部７７からその開口部分を通じて外部に送り出されたペイント弾Ｐは、図３に示される如くに、一対の係合片部７８により係止される。
【００３５】
弾丸収容部７７に立設されてケース部１８から外部に突出する一対の係合片部７８は、ペイント弾Ｐの直径より極めて僅かに大とされる相互間距離を有して配置されるとともに、夫々、ぺイント弾Ｐの直径寸法より小とされる相互間距離を有して対向せしめられた一対の湾曲先端部分７８ａを有している。このような一対の湾曲先端部分７８ａを有していることにより、一対の係合片部７８は、コイルスプリング７９の付勢力により弾丸収容部７７から送り出されたペイント弾Ｐを、それを潰してしまうことなく確実に保持することができる。
【００３６】
弾丸収容部７７に立設された一対の係合片部７８に関連して、可動部材１７における第１のガス通路形成部は、図４に示される如く、その先端部分を含む前方部分３７ａと後方部分３７ｂとを有するものとされている。そして、可動部材１７における第１のガス通路形成部の前方部分３７ａは、一対の係合片部７８の間を挿通することは可能とされるも、それら係合片部７８の夫々が有する湾曲先端部分７８ａの間を挿通することは不可とされる断面形状を有している。また、可動部材１７における第１のガス通路形成部の後方部分３７ｂは、一対の係合片部７８の夫々が有する湾曲先端部分７８ａの相互間距離より若干小とされた外寸を有する部分とされ、一対の係合片部７８の間、及び、それら係合片部７８の夫々が有する湾曲先端部分７８ａの間のいずれをも挿通することが可能とされる断面形状を有している。
【００３７】
弾丸収容部７７に一対の係合片部７８が立設されたケース部１８は、一対の係合片部７８の間及び弾丸収容部７７に複数個、例えば、５個のペイント弾Ｐを収容したもとで、グリップ部６にその底部側から挿入されて、フレーム部１０に装着される。その際、例えば、スライダ部１５は、基準位置をとる状態におかれ、また、可動部材１７は、その第１のガス通路形成部の先端部分を装弾室４ａに係合させる弾丸発射用位置をとる状態におかれる。なお、トリガー部７から後方に向けて屈曲して伸びる可動バー２２は、ケース部１８のグリップ部６内への挿入を妨げない屈曲形状を有するものとされている。また、ケース部１８におけるガス室６１に連通したガス供給通路部６１ａに対するパイプ７２の連結は、ケース部１８がフレーム部１０に装着される以前及び以後のいずれにおいて行われてもよい。
【００３８】
スライダ部１５が基準位置をとるとともに、可動部材１７がその第１のガス通路形成部の先端部分を装弾室４ａに係合させる弾丸発射用位置をとるもとで、グリップ部６内にケース部１８が挿入されると、図５に示される如く、可動部材１７における第１のガス通路形成部の後方部分３７ｂが、ケース部１８から外部に突出する一対の係合片部７８の夫々における湾曲先端部分７８ａの間を通じて、一対の係合片部７８の間に割り込み、一対の係合片部７８により係止されたペイント弾Ｐに上方から当接するものとされる。そして、グリップ部６内へのケース部１８の挿入が、可動部材１７における第１のガス通路形成部の後方部分３７ｂが上方から当接したペイント弾Ｐに、コイルスプリング７９の付勢力に抗する方向の押圧力が作用することになる状態をもって、継続される。それにより、一対の係合片部７８により係止されていたペイント弾Ｐは、弾丸収容部７７内に戻され、可動部材１７における第１のガス通路形成部の後方部分３７ｂが、一対の係合片部７８によって挟まれることになる。
【００３９】
その結果、弾丸発射用位置をとる可動部材１７における第１のガス通路形成部の後方部分３７ｂを挟んで、一対の係合片部７８が相互対向する状態をもって、ケース部１８が、図２に示される如くに、グリップ部６内に挿入されてフレーム部１０に装着される。即ち、可動部材１７は、その第１のガス通路形成部の後方部分３７ｂにより、ケース部１８にそれから外部に突出する一対の係合片部７８が設けられたもとにあっても、ケース部１８のグリップ部６への挿入を支障なく行わせるものとされている。
【００４０】
また、このとき、一対の係合片部７８により後方部分３７ｂが挟まれた可動部材１７における第１のガス通路形成部は、その中心軸線が銃身部２に沿う方向に伸びる装弾室４ａの中心軸線に略合致する位置に配されているので、ケース部１８から外部に突出する一対の係合片部７８は、銃身部２に沿う方向に伸びる装弾室４ａの中心軸線を挟む位置におかれることになる。
【００４１】
このようにしてケース部１８がグリップ部６内においてフレーム部１０に装着されたもとでは、一対の係合片部７８が装弾室４ａの後方に近接配置されるとともに、グリップ部６が、実質的に、その内部にガス室６１，ガス導出通路部６２，弾倉部６５，開閉弁部６９及びロック部材７１が設けられたものとされる。さらに、開閉弁部６９におけるピストン部分６９ｂと可動ピン５５とが相互近接配置される。可動ピン５５には、それをピストン部分６９ｂから離隔させる方向に付勢するコイルスプリング８２が巻装されている。
【００４２】
また、弾丸発射用位置をとる可動部材１７が、その第１のガス通路形成部により、実質的に、弾丸収容部７７の開口部分を閉塞して、コイルスプリング７９の付勢力により弾丸収容部７７からペイント弾Ｐが送り出される事態を阻止する。コイルスプリング７９はその付勢力が、弾丸収容部７７に収容されるペイント弾Ｐの個数が適切であれば、ペイント弾Ｐが潰れる事態をまねかないものに選定されている。
【００４３】
上述の如くに構成される本願の特許請求の範囲における請求項１から請求項４までのいずれかに記載された発明に係る玩具銃の一例においては、例えば、ケース部１８がグリップ部６内に挿入されてフレーム部１０に装着された後に、図２に示される如くの基準位置におかれたスライダ部１５が、手動操作により後退せしめられる。このような手動操作によるスライダ部１５の後退に伴って、図４及び図５に示される如くに、第１のガス通路形成部の後方部分３７ｂを一対の係合片部７８の間に位置させた可動部材１７が、第１のガス通路形成部の先端部分を装弾室４ａに係合させる弾丸発射用位置から、装弾室４ａの中心軸線に沿って後退せしめられる。それにより、可動部材１７における第１のガス通路形成部が、一対の係合片部７８の間からその後方に引き抜かれる状態をもって、図６に示される如くに、装弾室４ａから離隔せしめられる。
【００４４】
さらに、スライダ部１５の基準位置からの後退に伴って、銃身部２も後退して、図６に示される如くに、当接部３６に当接せしめられるとともに、ハンマー２１が、その上方側部分２１ａをスライダ部１５の後端部に対向させた図２に示される如くの回動位置から、図６に示される如くに、コイルスプリング５６の付勢力に抗して、回動レバー２８を軸２７に巻装されたトグルスプリングの付勢力に抗する方向に押圧しつつ、ａ方向とは逆の方向に回動せしめられる。
【００４５】
そして、図６に示される如く、可動部材１７の後退により弾丸収容部７７の開口部分が開状態とされ、コイルスプリング７９の付勢力により、開状態とされた開口部分を通じて弾丸収容部７７の外部に送り出されたペイント弾Ｐが、一対の係合片部７８（一方の係合片部は図にあらわれない）により係止される。このように一対の係合片部７８により係止されたペイント弾Ｐの中心は、略銃身部２に沿う方向に伸びる装弾室４ａの中心軸線上に位置せしめられる。
【００４６】
一方、可動部材１７にあっては、第１のガス通路形成部の先端部分を、一対の係合片部７８により係止されたペイント弾Ｐにその後方側から対向配置させる。斯かる可動部材１７は、その第１のガス通路形成部の先端部分が、一対の係合片部７８により係止されたペイント弾Ｐが有する外面に沿った曲面を有したものとされている。
【００４７】
そして、ケース部１８から外部に突出する一対の係合片部７８の後方となる位置におかれた可動部材１７は、スライダ部１５がその手動操作から解放され、コイルスプリング３２の付勢力により基準位置に向けて前進するとき、スライダ部１５に伴って前進する。
【００４８】
斯かる可動部材１７の前進により、可動部材１７における第１のガス通路形成部は、その先端部分を、それに設けられた上述の曲面をもって、一対の係合片部７８により係止されたペイント弾Ｐに当接させる状態としたもとで、一対の係合片部７８の間を貫通し、ペイント弾Ｐを、一対の係合片部７８から装弾室４ａに向け、銃身部２に沿う方向に伸びる装弾室４ａの中心軸線に沿って搬送する。このようにして可動部材１７により搬送されるペイント弾Ｐは、可動部材１７内に配されたガス制御部４５をコイルスプリング４９の付勢力に抗する方向に押圧する。
【００４９】
ペイント弾Ｐを一対の係合片部７８から装弾室４ａに向けて搬送する可動部材１７は、スライダ部１５が図７に示される如くの基準位置に到達すると略同時に、図８にも示される如くに、第１のガス通路形成部が一対の係合片部７８の間を貫通し、それら係合片部７８の間に第１のガス通路形成部の後方部分３７ｂを位置させた状態のもとで、第１のガス通路形成部の前方部分３７ａに含まれる先端部分を装弾室４ａに係合させる弾丸発射用位置に到達し、ペイント弾Ｐの装弾室４ａへの供給を完了する。
【００５０】
斯かる際、一対の係合片部７８により係止されたペイント弾Ｐの中心が略装弾室４ａの中心軸線上におかれているとともに、可動部材１７の移動が装弾室４ａの中心軸線に沿う方向をもって行われることにより、可動部材１７による一対の係合片部７８から装弾室４ａへのペイント弾Ｐの搬送が、ペイント弾Ｐに及ぼされる機械的衝撃が比較的小とされる状況のもとで行われる。しかも、可動部材１７における第１のガス通路形成部が、一対の係合片部７８により係止されるペイント弾Ｐが有する外面に沿った曲面を有した先端部分を、一対の係合片部７８により係止されたペイント弾Ｐにその後方側から当接させた状態をもって、一対の係合片部７８の間を貫通し、ペイント弾Ｐに当接した先端部分を装弾室４ａに係合させるものとされるとともに、一対の係合片部７８が装弾室４ａに近接配置されたものとされるので、可動部材１７はペイント弾Ｐを安定に保持したもとで装弾室４ａに搬送することになる。さらに、銃身部２が、後退から前進に転じた可動部材１７が一対の係合片部７８に近接するとき、当接部３６に当接した最後退位置を維持して、装弾室４ａと一対の係合片部７８との間の距離を効果的に縮小させるとともに、スライダ部１５がその前進により基準位置をとる直前に、最後退位置から基準位置への前進を開始して、可動部材１７と共に同方向に移動するものとされる。これよりして、可動部材１７による一対の係合片部７８により係止されたペイント弾Ｐの装弾室４ａへの供給が、当該ペイント弾Ｐが潰されてしまう事態をまねくことなく、確実に行われる。
【００５１】
なお、ケース部１８のグリップ部６内におけるフレーム部１０への装着は、可動部材１７が、図１に示される如くの、第１のガス通路形成部の先端部分を装弾室４ａに係合させる弾丸発射用位置をとるもとで行われなくてもよく、例えば、手動操作によるスライダ部１５の基準位置からの後退に伴う可動部材１７の後退後に行われてもよい。斯かる場合には、ケース部１８から外部に突出する一対の係合片部７８が、図６に示される如くに、装弾室４ａと後退した可動部材１７との間に形成された空間部に進入する状態をもって、ケース部１８がグリップ部６内に挿入されてフレーム部１０に装着される。そして、手動操作から解放されたスライダ部１５の前進に伴う可動部材１７の前進により、上述と同様にして、図７に示される如くに、一対の係合片部７８により係止されたペイント弾Ｐの装弾室４ａに対する供給が行われる。即ち、ケース部１８は、可動部材１７の位置に関わりなく、グリップ部６内に挿入してフレーム部１０に装着することが可能なものとされているのである。
【００５２】
一方、スライダ部１５の基準位置からの後退に伴ってａ方向とは逆の方向に回動せしめられたハンマー２１は、スライダ部１５の後退に続く基準位置に戻る前進により、図７に示される如くに、上方側部分２１ａを可動ピン５５から所定の距離離隔させた殴打待機位置において回動レバー２８に係合し、位置固定される。さらに、トリガー部７は、スライダ部１５の基準位置からの後退に伴う回動と、それに続くスライダ部１５の基準位置に戻る前進に伴う回動とを行って、図１に示される基準位置よりグリップ部６に先端部を近接させた、図７に示される如くの操作開始位置をとる。
【００５３】
上述の如くにしてケース部１８がフレーム部１０に着脱可能に装着され、スライダ部１５が基準位置をとるとともに、可動部材１７が、第１のガス通路形成部にケース部１８から外部に突出する一対の係合片部７８の間を貫通する状態をとらせて、第１のガス通路形成部の先端部分を装弾室４ａに係合させる弾丸発射用位置をとり、ハンマー２１が殴打待機位置をとり、さらに、トリガー部７が操作開始位置をとるもとでは、図７に示される如くに、可動部材１７における第１のガス通路形成部の先端部分と環状部材４とによって装弾室４ａに位置決め保持されたペイント弾Ｐにより、ガス制御部４５がコイルスプリング４９の付勢力に抗する方向に押圧され、それにより、ガス制御部４５における弁部分４７が、可動部材１７における第１のガス通路形成部内のガス通路部３７を開状態とする位置におかれる。図７にあっては、このとき、ガス制御部４５における弁部分４７は、可動部材１７における第２のガス通路形成部内のガス通路部３８を閉状態としている。但し、このとき、ガス制御部４５における弁部分４７が可動部材１７における第２のガス通路形成部内のガス通路部３８を閉状態としないようにされてもよい。
【００５４】
さらに、可動部材１７における中間部内の連結部３９とガス導出通路部６２とが連通状態とされるとともに、可動ピン５５が、開閉弁部６９におけるピストン部分６９ｂの後端部に当接しない位置をとり、それにより、開閉弁部６９が、ガス導出通路部６２を弁形成部分６９ａにより閉塞して、連結部３９とガス室６１との間を遮断する閉状態におかれる。また、ロック部材７１が、閉状態をとる開閉弁部６９におけるピストン部分６９ｂにより押圧されて下方位置を維持するとともに、可動部材１７における第１のガス通路形成部の後方部分３７ｂが、図７及び図８に示される如くに、一対の係合片部７８の間に位置して弾丸収容部７７における開口部分を実質的に閉塞し、コイルスプリング７９の付勢力により弾丸収容部７７からペイント弾Ｐが送り出される事態を阻止する。
【００５５】
斯かるもとで、トリガー部７が、図７に示される如くの操作開始位置から、図９に示される如くの操作完了位置に向けて引かれるべく操作されると、そのトリガー部７の回動に伴って、可動バー２２が前進する。その結果、図９に示される如く、可動バー２２が、その後方側部分に設けられた係止部２２ａを回動レバー２８に当接させて、その回動レバー２８を軸２７に巻装されたトグルスプリングの付勢力に抗する方向に回動させ、回動レバー２８とハンマー２１との相互係合を解除させる。それにより、ハンマー２１が、コイルスプリング５６の付勢力によりａ方向に回動せしめられる。
【００５６】
ａ方向に回動するハンマー２１は、その上方側部分２１ａにより可動ピン５５を殴打して、可動ピン５５をコイルスプリング８２の付勢力に抗する方向に移動させる。可動ピン５５を殴打したハンマー２１の上方側部分２１ａは、スライダ部１５の後端部に当接し、その結果、ハンマー２１のａ方向への回動が停止せしめられる。また、コイルスプリング８２の付勢力に抗する方向に移動した可動ピン５５は、ピストン部分６９ｂの後端部に当接して、開閉弁部６９をコイルスプリング７４の付勢力に抗する方向に移動させる。それにより、開閉弁部６９が、図７に示される如くの、弁形成部分６９ａによりガス導出通路部６２を閉塞して、連結部３９をガス室６１から遮断する閉状態から、図９に示される如くの、ガス導出通路部６２を弁形成部分６９ａにより閉塞する状態を解除して、連結部３９をガス室６１に連通させる開状態へと移行せしめられる。
【００５７】
斯かる開閉弁部６９のコイルスプリング７４の付勢力に抗する方向への移動により、下方位置をとるロック部材７１が、開閉弁部６９のピストン部分６９ｂによって押圧される状態から解放され、コイルスプリング７５の付勢力に従う方向に移動せしめられる。コイルスプリング７５の付勢力により移動したロック部材７１は、図９に示される如くに、ピストン部分６９ｂの後端部に係合する上方位置に置かれて、開閉弁部６９にその開状態を確実に維持させる。
【００５８】
そして、開閉弁部６９の閉状態から開状態への移行によって、外部ガス供給源からガス室６１内に導入されたガスが、ガス導出通路部６２を通じて可動部材１７における中間部内の連結部３９に急速に流入する。連結部３９に急速に流入したガスは、ガス制御部４５により開状態とされたガス通路部３７を通じて装弾室４ａに導かれる。それにより、環状部材４及び可動部材１７における第１のガス通路形成部の先端部分により保持されて、装弾室４ａに装填されているペイント弾Ｐには比較的大なるガス圧が作用せしめられる。斯かるガス圧の作用により、ペイント弾Ｐは、図９において一点鎖線により示される如くに、環状部材４の前方に移動せしめられる。
【００５９】
そして、環状部材４の前方、即ち、銃身部２内に移動したペイント弾Ｐと銃身部２との間に生じる比較的小なる隙間を通じて銃身部２内にガスが漏れ出し、それにより、ペイント弾Ｐの銃身部２における前端部側に向かう移動が加速され、それに伴って、銃身部２内におけるペイント弾Ｐの後方の空間が急激に拡大され、可動部材１７における第１のガス通路形成部内のガス通路部３７におけるガス圧が低下する。このようなガス通路部３７におけるガス圧の低下に伴って、ガス制御部４５がコイルスプリング４９の付勢力により前進するものとなり、それに伴ってガス制御部４５の弁部分４７が、ガス通路部３８側からガス通路部３７に向けて移動せしめられる。斯かるガス通路部３７におけるガス圧の低下に伴うガス制御部４５の前進により、ガス制御部４５の弁部分４７が、図１０に示される如くのガス通路部３７を閉状態となす位置におかれるまでの間において、銃身部２内に移動したペイント弾Ｐが銃身部２の先端である銃口から発射される。
【００６０】
このようにして、ガス制御部４５の弁部分４７が、ガス通路部３７を閉状態とするもとで、ガス通路部３８が、連結部３９を介して、ケース部１８内におけるガス導出通路部６２に連通する状態におかれると、ガス通路部３８の開口部分を閉塞する状態におかれた受圧部１６ａには、連結部３９及びガス通路部３８を通じたガス室６１からの比較的大なるガス圧が作用せしめられる。そして、斯かるガス圧の作用を受ける受圧部１６ａが設けられたスライダ部１５は、そのガス圧の作用により、図１０に示される如くに、受圧部１６ａと可動部材１７における後端面部との間に可変容積の圧力室８５を形成しつつ、コイルスプリング３２の付勢力に抗して、基準位置から急速に後退せしめられる。
【００６１】
基準位置から後退するスライダ部１５は、その後端部に当接するハンマー２１を、コイルスプリング５６の付勢力に抗する方向に回動させる。それにより、可動ピン５５が、ハンマー２１により押圧された状態から解放され、図１０に示される如くに、コイルスプリング８２の付勢力に従って、開閉弁部６９におけるピストン部分６９ｂの後端部から所定の距離だけ離隔した位置に向けて移動せしめられる。斯かるもとにあっても、開閉弁部６９がガス導出通路部６２を開状態となす状態は、上方位置をとってピストン部分６９ｂに当接するロック部材７１によって維持される。
【００６２】
また、スライダ部１５が、ガス室６１から可動部材１７内の連結部３９及びガス通路部３８を通じて可変容積の圧力室８５に供給されるガス圧によってさらに後退せしめられる際、図示が省略されているが、スライダ部１５の底面部に設けられた突出部によって、ロック部材７１に連結されている昇降部材が上方位置から下方位置へと押圧移動せしめられる。それに伴い、図１１に示される如く、ロック部材７１も、コイルスプリング７５の付勢力に抗して、上方位置から下方位置へと移動せしめられ、ロック部材７１と開閉弁部６９におけるピストン部分６９ｂとの相互係合が解除される。その結果、開閉弁部６９が、コイルスプリング７４の付勢力に従う方向に移動して、ガス導出通路部６２を開状態として連結部３９をガス室６１に連通させる状態から、ガス導出通路部６２を閉状態として連結部３９をガス室６１から遮断する状態に戻される。それにより、ガス室６１から連結部３９へのガスの流入が停止される。また、下方位置に移動したロック部材７１は、ガス導出通路部６２を開状態となす状態から閉状態となす状態に移行した開閉弁部６９のピストン部分６９ｂによって押圧されて、下方位置を維持するものとされる。
【００６３】
さらに、可動バー２２がその後方側部分が下降するものとなる方向に回動せしめられる。それにより、可動バー２２の後方側部分に設けられた係止部２２ａと回動レバー２８との相互係合が解除され、回動レバー２８が、軸２７に巻装されたトグルスプリングの付勢力に従う方向に回動する。
【００６４】
このようにして、ガス室６１から可変容積の圧力室８５へのガスの供給が停止されても、スライダ部１５はその慣性によって後退を継続する。スライダ部１５がその慣性によって後退を継続しているとき、図１２に示される如く、軸２７に巻装されたトグルスプリングの付勢力に従う方向に回動した回動レバー２８が，ハンマー２１の下方側部分２１ｂに係合する。さらに、銃身部２がその後端部を当接部３６に当接させる位置に向けて後退し、それに伴い、第１のガス通路形成部の先端部分を装弾室４ａに係合させた可動部材１７も、図１２及び図１３に示される如くに、第１のガス通路形成部の前方部分３７ａを一対の係合片部７８の間に入り込ませる位置まで後退して、可動部材１７における中間部内の連結部３９を、ガス導出通路部６２から離隔させる。さらに、慣性によるスライダ部１５の後退により、スライダ部１５に設けられた有底筒状部１６と可動部材１７における第２のガス通路形成部との相互係合状態が解除される。それにより、有底筒状部１６，ガス通路部３８，連結部３９及びガス導出通路部６２内に残存したガスが大気中に放出される。また、スライダ部１５は、その慣性による後退を、図１４に示される如くの最後退位置に到達するまで継続する。
【００６５】
そして、大気中へのガスの放出により、可動部材１７が、コイルスプリング４１の付勢力により、図１２及び図１３に示される如くの第１のガス通路形成部の先端部分を装弾室４ａに係合させた弾丸発射用位置から、急速に有底筒状部１６に向けて後退せしめられる。その結果、図１４に示される如くに、可動部材１７が、第１のガス通路形成部を一対の係合片部７８（一方の係合片部は図にあらわれない）から離隔させるとともに、第２のガス通路形成部を有底筒状部１６内に挿入させた状態におかれる。斯かる可動部材１７の後退によって、可動部材１７における第１のガス通路形成部により閉塞されていた弾丸収容部７７の開口部分が開状態にされ、弾丸収容部７７に収容されているペイント弾Ｐのうち最上方位置にあるものが、コイルスプリング７９の付勢力により弾丸収容部７７から送り出されて一対の係合片部７８により係止される。さらに、銃身部２は、その後端部を当接部３６に当接させて、一対の係合片部７８により係止されたペイント弾Ｐと装弾室４ａとの間の距離を縮小させる位置を維持する。
【００６６】
図１４に示される如くの最後退位置に到達したスライダ部１５は、直ちにコイルスプリング３２の付勢力により基準位置に向けて前進する状態に転じ、そのスライダ部１５の前進に伴って可動部材１７も前進する。
【００６７】
また、スライダ部１５が最後退位置から基準位置に向けて前進する際には、ハンマー２１は、その下方側部分２１ｂに係合する回動レバー２８によって位置固定され、上方側部分２１ａを可動ピン５５から所定の距離離隔させる殴打待機位置を維持するものとされる。
【００６８】
前進する可動部材１７における第１のガス通路形成部は、その先端部分を一対の係合片部７８により係止されたペイント弾Ｐに当接させて一対の係合片部７８の間を貫通し、ペイント弾Ｐをその外面に沿った曲面を有した先端部分によって安定に保持し、装弾室４ａに向けて、装弾室４ａの中心軸線に沿って搬送する。そして、スライダ部１５が、図７に示される如くの基準位置に到達した際には、銃身部２も基準位置に復帰するとともに、可動部材１７もその第１のガス通路形成部の先端部分を装弾室４ａに係合させる弾丸発射用位置に到達し、装弾室４ａに対するペイント弾Ｐの供給が完了する。装弾室４ａに供給されたペイント弾Ｐは、環状部材４と可動部材１７の第１のガス通路形成部の先端部分とにより位置決め保持されて、装弾室４ａに装填された状態におかれる。
【００６９】
このようにして、装弾室４ａに装填されたペイント弾Ｐにより、可動部材１７内におけるガス制御部４５が後退せしめられ、ガス制御部４５の弁部分４７が、ガス通路部３７を、連結部３９を介して、ケース部１８内に設けられたガス導出通路部６２に連通させる位置におかれる。斯かるもとで、トリガー部７がそれを引く操作から解放されると、軸２５に巻装されたトグルスプリングの付勢力により、図７に示されに如くの操作開始位置に復帰せしめられるとともに、可動バー２２が、トリガー部７が引かれる前の位置に状態復帰せしめられる。そして、トリガー部７が再び引かれることにより、上述の如くにして、装弾室４ａにおけるペイント弾Ｐの発射，それに続く装弾室４ａに対するペイント弾Ｐの供給が行われる。
【００７０】
また、ケース部１８のそれが装着されたフレーム部１０からの離脱は、スライダ部１５及び可動部材１７の夫々の位置に関わりなく、グリップ部６内からケース部１８を引き抜くだけの比較的簡単な作業とされる。従って、例えば、ペイント弾Ｐの発射が繰り返し行われて弾倉部６５における弾丸収容部７７が空となったとき、その弾倉部６５が設けられたケース部１８をフレーム部１０から離脱させ、そのケース部１８と同様のものであって、弾倉部に設けられた弾丸収容部にペイント弾Ｐが充填された他のケース部をグリップ部６内に挿入してフレーム部１０に装着することにより、ペイント弾Ｐの発射を継続的に行うことができる。
【００７１】
図１５は、本願の特許請求の範囲における請求項１から請求項４までのいずれかに記載された発明に係る玩具銃の他の例を示す。
【００７２】
図１５に示される例においては、図１及び図２に示される例におけるフレーム部１０が、銃身部２，トリガー部７，可動バー２２及び回動レバー２８に代えて、銃身部３、トリガー部８，可動バー２６，板状ばね部材３３及び３４，可動当接部材４３、及び、回動係合部材４４が設けられたものとされ、その他の各部及び各部材については、図１及び図２に示される例と略同様とされる。これらの各部及び各部材は、図１及び図２に示される例と同様の符号が付されて示され、重複説明は省略される。
【００７３】
図１５に示される例において、銃身部３は、フレーム部１０に固定されており、後方側部分の内側に装弾室４ａを形成する環状部材４が配されている。そして、スライダ部１５及び可動部材１７の夫々の移動は、銃身部３に沿う方向をもって行われる。
【００７４】
グリップ部６には、トリガー部８から後方に向けて屈曲して伸びる可動バー２６が配されている。可動バー２６も、図１及び図２に示される可動バー２２と同様に、ケース部１８がグリップ部６内に挿入されてフレーム部１０に装着される際、ケース部１８のグリップ部６内への進入を妨げない屈曲形状を有するものとされている。可動バー２６の後端部には、板状ばね部材３３における湾曲形状とされた先端部が当接している。板状ばね部材３３は、可動バー２６に、トリガー部８をその後方側から押圧する付勢力を作用させるものとされている。
【００７５】
トリガー部８は、それが引かれるとき、図１５に示される如くの、フレーム部１０に設けられた当接部８６からその前方側に離隔した操作開始位置から、当接部８６に当接する操作完了位置に向けて、銃身部３に沿って移動せしめられ、それに伴って、可動バー２６も、板状ばね部材３３の付勢力に抗する方向に移動せしめられる。斯かる可動バー２６の後端部には、可動当接部材４３も当接している。可動当接部材４３は、軸８７を介してフレーム部１０により回動可能に支持された回動係合部材４４に選択的に当接するものとされている。
【００７６】
回動係合部材４４は、ハンマー２１の下方側部分２１ｂに選択的に係合せしめられる上方先端部が設けられた湾曲形状部を有している。回動係合部材４４における湾曲形状部には、それから伸びる下方突出部４４ａが設けられており、下方突出部４４ａには、板状ばね部材３４の先端部が当接している。板状ばね部材３４は、回動係合部材４４に、その上方先端部をハンマー２１の下方側部分２１ｂに近接させる方向の付勢力を作用させるものとされている。トリガー部８が操作開始位置をとるときには、回動係合部材４４は、その下方突出部４４ａが可動バー２６の後端部から所定の距離だけ離隔するものとなる回動基準位置をとる。
【００７７】
可動当接部材４３は、回動係合部材４４を貫通する軸８７が挿通せしめられた透孔と、回動係合部材４４の下方突出部４４ａに選択的に当接する当接部４３ａとを有しており、その当接部４３ａが設けられた部分が、可動バー２６の後端部に常時当接せしめられるとともに、板状ばね部材３３における湾曲形状とされた先端部に選択的に当接せしめられる。
【００７８】
さらに、可動当接部材４３は、透孔が設けられた部分からスライダ部１５の底面部に向けて伸びる摺動部４３ｂを有している。摺動部４３ｂは、図示が省略されているが、フレーム部１０に設けられた一対のガイド部の間に摺動可能に挿通せしめられている。斯かる可動当接部材４３は、それに設けられた透孔を挿通する軸８７により、それに対する透孔により規制される範囲内での移動が可能とされた状態をもって、摺動部４３ｂを介して一対のガイド部により支持されている。それにより、可動当接部材４３は、昇降動も行い得るものとされていて、トリガー部８が操作開始位置にあるときには、図１５に示される如くの、当接部４３ａが設けられた部分を通じて板状ばね部材３３に押圧力を作用させることのない上方位置を維持する。このとき、上方位置を維持する可動当接部材４３における摺動部４３ｂの上端側部分は、図１５において破線により示される、スライダ部１５の底面部に設けられた凹部に入り込む。
【００７９】
なお、可動バー２６及び可動当接部４３の夫々に付勢力を作用させる板状ばね部材３３と回動係合部材４４に付勢力を作用させる板状ばね部材３４とは、板状ばね部材３３及び３４との間に配されてフレーム部１０に当接する板状ばね部材（図示省略）とともに板ばね部材を構成しており、板ばね部材は、図示が省略されているが、板状ばね部材３３及び３４とそれらの間の板状ばね部材との夫々における下端部が相互連結されて、フレーム部１０に取り付けられている。
【００８０】
斯かる図１５に示される例にあっても、フレーム部１０に対するケース部１８の装着は、図１及び図２に示される例におけるフレーム部１０に対するケース部１８の装着と同様に行われる。そして、フレーム部１０にケース部１８が装着されたもとでは、ケース部１８はその上端部を、銃身部３における環状部材４が配された後方側部分に近接配置させる。それにより、装弾室４ａの後方に近接配置される一対の係合片部７８（一方の係合片部は図にあらわれない）と装弾室４ａとの間の距離は極めて小とされる。
【００８１】
そして、スライダ部１５の手動操作による後退とその後の前進とに伴って移動する可動部材１７により行われる、一対の係合片部７８により係止されたペイント弾Ｐの装弾室４ａへの供給が、装弾室４ａと一対の係合片部７８との間の距離が極めて小とされたもとで行われる。従って、銃身部３がフレーム部１０に固定されたもとにあっても、図１及び図２に示される例と同様に、一対の係合片部７８から装弾室４ａへのペイント弾Ｐの供給が、当該ペイント弾Ｐが潰されてしまう事態をまねくことなく、確実に行われる。
【００８２】
一方、ハンマー２１は、基準位置をとるスライダ部１５が手動操作によって後退せしめられるとき、コイルスプリング５６の付勢力に抗して、上方側部分２１ａをスライダ部１５の後端部に対向させた図１５において実践によりに示される如くの回動位置からａ方向とは逆の方向に向けて回動し、スライダ部１５が手動操作から解放されて前進する際、下方側部分２１ａを回動基準位置をとる回動係合部材４４の上方先端部４４ａに係合させる。それにより、ハンマー２１は、図１５において一点鎖線により示される如くの、上方側部分２１ａを可動ピン５５から所定の距離離隔させた殴打待機位置に位置固定される。
【００８３】
トリガー部８も、図１及び図２に示されるトリガー部７と同様に、スライダ部１５が基準位置をとるとともに、可動部材１７が、その第１のガス通路形成部の後方部分３７ｂを一対の係合片部７８の間に位置させた状態をもって、第１のガス通路形成部の先端部分を装弾室４ａに係合させる弾丸発射用位置をとり、可動部材１７における第１のガス通路形成部の先端部分と環状部材４とによって装弾室４ａに供給されたペイント弾Ｐが位置決め保持され、さらに、ハンマー２１が、殴打待機位置をとるもとで、操作開始位置から操作完了位置に向けて引かれるべく操作される。斯かるトリガー部８の移動に伴って、可動バー２６が板状ばね部材３３の付勢力に抗して後退し、上方位置をとる可動当接部材４３を押圧する。それにより可動当接部材４３は、その当接部４３ａを回動係合部材４４の下方突出部４４ａに当接させて、回動係合部材４４を板状ばね部材３４の付勢力に抗する方向に回動させる。それに伴い、ハンマー２１の下方側部分２１ｂと回動係合部材４４の上方先端部との相互係合が解除され、ハンマー２１が回動係合部材４４により位置固定された状態から解放される。位置固定状態から解放されたハンマー２１は、コイルスプリング５６の付勢力によりａ方向に回動せしめられて、可動ピン５５を殴打する。その結果、図１及び図２に示される例と同様に、ガス制御部４５によりガス通路部３７及び３８が開閉制御されるもとで、ガス室６１から可動部材１７における中間部内の連結部３９に供給されるガスが利用されて、装弾室４ａに装填されているペイント弾Ｐの発射とそれに続く装弾室４ａに対するペイント弾Ｐの供給とが行われる。
【００８４】
斯かる際の基準位置からの後退とそれに続く最後退位置からの前進とを行うスライダ部１５の後退に伴って、可動当接部材４３における摺動部４３ｂが、スライダ部１５の底面部に設けられた凹部から外れる。それにより摺動部４３ｂを介してスライダ部１５からの押圧力が作用せしめられる状態におかれた可動当接部材４３は、その当接部４３ａが設けられた部分を、可動バー２６の後端部とそれに当接する板状ばね部材３３における湾曲形状とされた先端部との間に入り込ませ、板状ばね部材３３に押圧力を作用させる下方位置に移動せしめられる。このような可動当接部材４３の下方位置への移動により、可動当接部材４３における当接部４３ａと回動係合部材４４の下方突出部４４ｂａの相互当接が解除される。それにより、回動係合部材４４が、それに作用する板状ばね部材３４の付勢力により回動基準位置に復帰せしめられる。そして、スライダ部１５が最後退位置から基準位置に向けて前進する際には、ハンマー２１が、回動基準位置をとる回動係合部材４４の上方先端部に下方側部分２１ｂを係合させる状態に置かれる。それにより、ハンマー２１が、殴打待機位置を維持するものとされる。
【００８５】
さらに、スライダ部１５がその前進により基準位置に到達した際には、可動当接部材４３がそれに設けられた摺動部４３ｂを介してスライダ部１５により押圧される状態から解放され、板状ばね部材３３の付勢力による上方位置への復帰が可能な状態におかれる。その後、トリガー部８がそれを引く操作から解放されると、可動バー２６に作用する板状ばね部材３３の付勢力により、トリガー部８は操作開始位置に復帰せしめられる。また、それとともに、可動当接部材４３が、板状ばね部材３３の付勢力により上方に押圧され、当接部４３ａが回動係合部材４４の下方突出部４４ａにおける傾斜状端部に案内される状態をもって、摺動部４３ｂの上端部側部分をスライダ部１５の底面部に設けられた凹部に入り込ませる上方位置に復帰せしめられる。操作開始位置に復帰したトリガー部８が、再び、操作開始位置から操作完了位置へと引かれる操作が行われると、上述の如くの動作が繰り返されて、装弾室４ａにおけるペイント弾Ｐの発射と、それに続くペイント弾Ｐの装弾室４ａへの供給とが行われる。
【００８６】
図１６及び図１７は、本願の特許請求の範囲における請求項５から請求項８までのいずれかに記載された発明に係る玩具銃の一例の要部を示す。そして、本願の特許請求の範囲における請求項５から請求項８までのいずれかに記載された発明に係る玩具銃の一例は、上述の図１及び図２に示される例もしくは図１５に示される例において、可動部材１７及び一対の係合片部７８に代えて、図１６及び図１７に示される可動部材９０及び一対の係合片部９１が備えられたものに相当する。
【００８７】
図１６及び図１７において、一対の係合片部９１は、図１及び図２もしくは図１５に示されるケース部１８における弾倉部６５に設けられた弾丸収容部７７の開口部分に立設されている。そして、一対の係合片部９１は、例えば、樹脂製とされ、相互近接する方向及び相互離隔する方向のいずれにも変位し得る弾性を有しており、通常時にあっては、相互に略平行に伸びるものとされている。このような弾性を有した一対の係合片部９１にあっても、図１及び図２もしくは図１５に示される一対の係合片部７８と同様に、ペイント弾Ｐの直径より極めて僅かに大とされる相互間距離を有したものとされるとともに、ペイント弾Ｐの直径寸法より小とされる相互間距離を有して対向せしめられた湾曲先端部分９１ａを夫々有していて、コイルスプリング７９の付勢力により弾丸収容部７７から送り出されたペイント弾Ｐを、潰されてしまう事態をまねくことなく保持できるものとされている。
【００８８】
可動部材９０は、図１及び図２もしくは図１５に示される可動部材１７における前方部分３７ａ及び後方部分３７ｂを有した第１のガス通路形成部とは相違する第１のガス通部形成部によって、ガス通路部３７を形成するとともに、一対の係合片部９１に変位を生じさせるものとされており、その他の構成及び動作は、図１及び図２もしくは図１５に示される可動部材１７と同様なものとされている。このような可動部材９０における第１のガス通路形成部は、一対の係合片部９１により係止されるペイント弾Ｐの直径と略同寸法とされる直径を有して伸びるものとされている。
【００８９】
そして、図１６及び図１７に示される如くの可動部材９０及び一対の係合片部９１が備えられた玩具銃にあっては、ケース部１８をフレーム部１０に装着すべく、スライダ部１５が基準位置をとるとともに、可動部材９０がその第１のガス通路形成部における先端部分を装弾室４ａに係合させる弾丸発射用位置をとるもとで、グリップ部６内にケース部１８が挿入されると、可動部材９０の第１のガス通路形成部が、ケース部１８から外部に突出する一対の係合片部９１の夫々における湾曲先端部分９１ａの間を通じて、それら係合片部９１により係止されたペイント弾Ｐに当接する。そして、グリップ部６内へのケース部１８の挿入は、可動部材９０がその第１のガス通路形成部が当接したペイント弾Ｐにコイルスプリング７９の付勢力に抗する方向の押圧力を作用させるもとで、継続される。
【００９０】
斯かるもとにあっては、ペイント弾Ｐを押圧する可動部材９０における第１のガス通路形成部により、一対の係合片部９１がそれらにおける湾曲先端部分９１ａを相互離隔させる方向に変位せしめられ、それにより、一対の係合片部９１の間に、可動部材９０における第１のガス通路形成部が割り込み、一対の係合片部９１により係止されていたペイント弾Ｐが、弾倉部６５に設けられた弾丸収容部７７内に戻されることになる。また、一対の係合片部９１の間に可動部材９０における第１のガス通路形成部が割り込んだ際には、一対の係合片部９１の夫々はその弾性により、相互に略平行に伸びるものとされる元の状態に復帰する。
【００９１】
その結果、図１６及び図１７に示される如くに、第１のガス通路形成部における先端部分を装弾室４ａに係合させる弾丸発射用位置をとる可動部材９０の第１のガス通路形成部を挟んで、一対の係合片部９１が相互対向せしめられる状態をもって、ケース部１８がフレーム部１０に係合装着される。即ち、一対の係合片部９１は、ケース部１８から外部に突出するものとされたもとにあっても、各々が有する弾性により、ケース部１８のフレーム部１０への装着を支障なく行わせるものとされている。
【００９２】
このようにして、ケース部１８がグリップ部６内に挿入されてフレーム部１０に装着されるもとでは、一対の係合片部９１が装弾室４ａの後方に近接配置される。また、第１のガス通路部における先端部分を装弾室４ａに係合させる弾丸発射用位置をとる可動部材９０は、図１及び図２もしくは図１５に示される可動部材１７と同様に、その第１のガス通路形成部により、弾倉部６５に設けられた弾丸収容部７７の開口部分を実質的に閉状態として、弾丸収容部７７からペイント弾Ｐが送り出される事態を防止する。
【００９３】
上述の如くの一対の係合片部９１にあっても、図１及び図２もしくは図１５に示される一対の係合片部７８と同様に、弾丸収容部７７から送り出されたペイント弾Ｐの係止を、そのペイント弾Ｐの中心を略銃身部２もしくは銃身部３に沿って伸びる装弾室４ａの中心軸線上に位置させて行うものとされる。さらに、可動部材９０も、図１及び図２もしくは図１５に示される可動部材１７と同様に、第１のガス通路形成部の先端部分が、一対の係合片部９１により係止されるペイント弾Ｐが有する外面に沿った曲面を有したものとされている。従って、図１及び図２もしくは図１５に示される可動部材１７及び一対の係合片部７８の夫々に代えて、可動部材９０及び一対の係合片部９１が備えられる玩具銃の場合にも、可動部材１７及び一対の係合片部７８が備えられた場合と同様の作用効果が得られることになる。
【００９４】
なお、上述の例の夫々においては、ケース部１８に設けられて、外部ガス供給源に連結されるガス室６１が、開閉弁部６９等と共にガス供給制御手段を形成するものとされているが、ガス室６１に代えて、例えば、ガスボンベ等が用いられて充填されるガスを貯留する蓄圧室が備えられ、斯かる蓄圧室と開閉弁部６９等とを含むガス供給制御手段が形成されてもよい。
【００９５】
【発明の効果】
以上の説明から明らかな如く、本願の特許請求の範囲における請求項１から請求項８までのいずれかに記載された発明に係る玩具銃にあっては、弾倉部がフレーム部に装着され、それにより弾倉部が銃身部より下方側に配された状態をとることができるものとされる。斯かる弾倉部のフレーム部に対する装着は、可動部材における第１のガス通路形成部が、弾倉部がフレーム部に対して装着されるとき、相対的に弾倉部における一対の係合片部の夫々の先端部分間を通り抜けられる寸法を部分的に有したものとされることにより、あるいは、弾倉部における一対の係合片部が、相対向する先端部分の相互間距離を変化させる変位が可能とされる弾性を具えたものとされることにより、可動部材がその第１のガス通路形成部の先端部分を装弾室に係合させる位置をとるもとにあっても、一対の係合片部の間に可動部材における第１のガス通路形成部を割り込ませる状態をもって、容易に行われる。そして、弾倉部がフレーム部に装着されたもとでは、一対の係合片部が装弾室の後方に近接配置され、それら一対の係合片部により係止されるペイント弾の中心と銃身部に沿う方向に伸びる装弾室の中心軸線とが略一致せしめられ、ペイント弾の中心が略装弾室の中心軸線上に位置する状態に置かれる。
【００９６】
弾倉部がフレーム部に装着されたもとで、スライダ部が基準位置から銃身部に沿う方向に後退せしめられるとき、それに伴って、可動部材が、銃身部に沿う方向に伸びる装弾室の中心軸線に沿って後退する。スライダ部は、後退後、基準位置に戻る前進に転じ、それに伴って可動部材も装弾室の中心軸線に沿って前進する。そして、可動部材の前進により、可動部材における第１のガス通路形成部が、先端部分を一対の係合片部により係止されたペイント弾に当接させてその一対の係合片部の間を貫通し、先端部分を装弾室に係合させる状態をとり、それによって装弾室にペイント弾が供給される。
【００９７】
斯かる際、一対の係合片部により係止されたペイント弾の中心が略装弾室の中心軸線上に位置する状態に置かれているとともに、可動部材の前進が装弾室の中心軸線に沿って行われることにより、可動部材における第１のガス通路形成部の先端部分による、一対の係合片部により係止されたペイント弾の装弾室への搬送が、当該ペイント弾が受ける機械的衝撃が比較的小とされる状態をもって行われる。その結果、弾倉部における弾丸収容部から送り出されて一対の係合片部により係止されるペイント弾が、機械的衝撃により潰されてしまう事態がまねかれることなく、装弾室に供給されることになる。
【図面の簡単な説明】
【図１】  本願の特許請求の範囲における請求項１から請求項４までのいずれかに記載された発明に係る玩具銃の一例の構成及び動作の説明に供される断面図である。
【図２】  図１に示される例の構成及び動作の説明に供される断面図である。
【図３】  図１に示される例における要部を示す縦断面図である。
【図４】  図１に示される例における要部を示す横断面図である。
【図５】  図１に示される例における要部を示す縦断面図である。
【図６】  図１に示される例の構成及び動作の説明に供される部分断面図である。
【図７】  図１に示される例の構成及び動作の説明に供される部分断面図である。
【図８】  図１に示される例における要部を示す横断面図である。
【図９】  図１に示される例の構成及び動作の説明に供される部分断面図である。
【図１０】  図１に示される例の構成及び動作の説明に供される部分断面図である。
【図１１】  図１に示される例の構成及び動作の説明に供される部分断面図である。
【図１２】  図１に示される例の構成及び動作の説明に供される部分断面図である。
【図１３】  図１に示される例における要部を示す横断面図である。
【図１４】  図１に示される例の構成及び動作の説明に供される部分断面図である。
【図１５】  本願の特許請求の範囲における請求項１から請求項４までのいずれかに記載された発明に係る玩具銃の他の例の構成及び動作の説明に供される断面図である。
【図１６】  本願の特許請求の範囲における請求項５から請求項８までのいずれかに記載された発明に係る玩具銃の一例の要部を示す横断面図である。
【図１７】  本願の特許請求の範囲における請求項５から請求項８までのいずれかに記載された発明に係る玩具銃の一例の要部を示す縦断面図である。
【符号の説明】
２，３・・・銃身部，  ４・・・環状部材，  ４ａ・・・装弾室，  ６・・・グリップ部，  ７，８・・・トリガー部，  １０・・・フレーム部，  １５・・・スライダ部，  １６・・・有底筒状部，  １６ａ・・・受圧部，  １７，９０・・・可動部材，  １８・・・ケース部，  ２１・・・ハンマー，  ３２，４１，４９，５６，７４，７５・・・コイルスプリング，  ３７，３８・・・ガス通路部，  ３９・・・連結部，  ４５・・・ガス制御部，  ５５・・・可動ピン，６１・・・ガス室，  ６２・・・ガス導出通路部，  ６５・・・弾倉部，  ６９・・・開閉弁部，  ７１・・・ロック部材，  ７７・・・弾丸収容部，  ７８，９１・・・係合片部，  ８５・・・圧力室，  Ｐ・・・ペイント弾
【図１】
0003655887.tif 000002
【図２】
0003655887.tif 000003
【図３】
0003655887.tif 000004
【図４】
0003655887.tif 000005
【図５】
0003655887.tif 000006
【図６】
0003655887.tif 000007
【図７】
0003655887.tif 000008
【図８】
0003655887.tif 000009
【図９】
0003655887.tif 000010
【図１０】
0003655887.tif 000011
【図１１】
0003655887.tif 000012
【図１２】
0003655887.tif 000013
【図１３】
0003655887.tif 000014
【図１４】
0003655887.tif 000015
【図１５】
0003655887.tif 000016
【図１６】
0003655887.tif 000017
【図１７】
0003655887.tif 000018